(57)【要約】【課題】不要オーディオファイルの記録を行わないオーディオ記録再生装置を提供する。【解決手段】ＣＤ−ＤＡ６１に＃１から＃４のトラックが記録されている場合には、ａ１のように、各トラックのオーディオデータのメモリ１２上のバッファへのバッファリングが逐次的に行われ、＃１のトラックのオーディオデータのバッファリングが完了しだい、バッファ内の＃１から＃４のトラックのオーディオデータの、ＨＤＤ５への記録（ａ２）と再生（ｂ３）が非同期にそれぞれ行われるが、もし、＃２のトラックのオーディオデータの再生中にユーザの所定操作７０１が成された場合には、即座に＃２のトラックのオーディオデータの再生を停止し、次の＃３のトラックのオーディオデータの再生に進む。そして、最後のトラック＃４のオーディオデータの再生が完了した後に、再生中に所定のユーザ操作７０１が成された＃２のトラックのオーディオデータを記録したＨＤＤ５のオーディオファイル２１４の削除が行われる（ａ４）。【選択図】図７
2005044419.tif 000002
【特許請求の範囲】
【請求項１】
第１の記録媒体に記録された楽曲を読み出して、第２の記録媒体に記録し、第２の記録媒体に記録した楽曲を再生するオーディオ記録再生装置であって、
前記第１の記録媒体に記録された各楽曲を順次読み出す読み出し手段と、
前記読み出し手段が読み出した楽曲を順次再生する再生手段と、
前記読み出し手段が読み出した楽曲を、当該楽曲の前記再生手段による再生とは非同期に、順次、オーディオファイルとして前記第２の記録媒体に記録する記録手段と、
オーディオファイル削除手段とを有し、
前記再生手段は、前記楽曲の再生中に、所定のユーザ操作があった場合に、再生中の楽曲の再生を中止し、再生中の楽曲の次の楽曲の再生を開始すると共に、再生を中止した楽曲を削除対象楽曲として、当該楽曲の識別情報を記憶し、
前記オーディオファイル削除手段は、前記再生手段が記憶した識別情報が示す楽曲のオーディオファイルを、当該オーディオファイルの前記記録手段による第２の記録媒体への記録後に、前記第２の記録媒体から削除することを特徴とするオーディオ記録再生装置。
【請求項２】
請求項１記載のオーディオ記録再生装置であって、
前記再生手段は、前記楽曲の再生中に、前記所定のユーザ操作とは異なる予め定めたユーザ操作があった場合に、再生中の楽曲の再生を中止し、再生を中止した楽曲を削除対象楽曲とせずに、または、再生中止後にユーザから楽曲の削除の指示を受け付けた場合を除いて再生を中止した楽曲を削除対象楽曲とせずに、再生中の楽曲の次の楽曲の再生を開始することを特徴とするオーディオ記録再生装置。
【請求項３】
請求項２記載のオーディオ記録再生装置であって、
前記所定のユーザ操作は、前記楽曲の再生開始後所定期間内の再生スキップ操作であって、前記予め定めたユーザ操作は、前記楽曲の再生開始後所定期間経過後の再生スキップ操作であることを特徴とするオーディオ記録再生装置。
【請求項４】
第１の記録媒体に記録された楽曲を読み出して、第２の記録媒体に記録し、第２の記録媒体に記録した楽曲を再生するオーディオ記録再生装置であって、
前記第１の記録媒体に記録された各楽曲を順次読み出す読み出し手段と、
前記読み出し手段が読み出した楽曲を順次再生する再生手段と、
前記読み出し手段が読み出した楽曲を、順次、オーディオファイルとして前記第２の記録媒体に記録する記録手段と、
オーディオファイル管理手段とを有し、
前記再生手段は、前記楽曲の再生中に、所定のユーザ操作があった場合に、再生中の楽曲の再生を中止して、再生中の楽曲の次の楽曲の再生を開始し、
前記オーディオファイル管理手段は、前記再生手段が前記所定のユーザ操作に応じて再生を中止した楽曲の前記第２の記録媒体上のオーディオファイルが重要度の低いオーディオファイルであることを示す重要度情報を、前記第２の記録媒体に記録することを特徴とするオーディオ記録再生装置。
【請求項５】
請求項４記載のオーディオ記録再生装置であって、
前記第２の記録媒体に記録された重要度情報が、重要度の低いオーディオファイルであることを示すオーディオファイルを削除候補オーディオファイルとしてユーザに提示する削除候補抽出手段と、
ユーザの削除指示操作に応じて、ユーザに提示した各オーディオファイル、または、ユーザに提示したオーディオファイルの内からユーザによって選択されたオーディオファイルを、前記第２の記録媒体から削除するオーディオファイル整理手段とを有することを特徴とするオーディオ記録再生装置。
【請求項６】
請求項４記載のオーディオ記録再生装置であって、
前記第２の記録媒体に記録された各オーディオファイルの情報を、前記重要度情報が重要度の低いオーディオファイルであることを示すオーディオファイルの情報がより後に提示される形態で、ユーザに提示するオーディオファイル情報提示手段と、
前記オーディオファイル情報提示手段が提示したオーディオファイルの内から、ユーザによって選択されたオーディオファイルを登録したプレイリストを編集するプレイリスト編集手段と、
前記プレイリストに登録された各オーディオファイルを順次再生するプレイリスト再生手段とを有することを特徴とするオーディオ記録再生装置。
【請求項７】
請求項１、２、３、４、５または６記載のオーディオ記録再生装置であって、
前記第１の記録媒体は当該オーディオ記録再生装置に脱着可能に装着されるＣＤ−ＤＡであって、前記第２の記録媒体はハードディスクであって、前記読み出し手段は、前記ＣＤ−ＤＡに記録された各楽曲を順次読み出して保持し、前記再生手段は、前記読み出し手段が保持している楽曲を順次再生し、前記記録手段は、前記読み出し手段が保持している各楽曲を、当該楽曲の前記再生手段による再生とは非同期に、順次、所定の符号化アルゴリズムで符号化して、前記オーディオファイルとして前記ハードディスクに記録することを特徴とするオーディオ記録再生装置。
【請求項８】
第１の記録媒体に記録された楽曲を読み出して、第２の記録媒体に記録し、第２の記録媒体に記録した楽曲を再生するオーディオ記録再生装置において、第１の記録媒体に記録された楽曲を読み出して第２の記録媒体への記録を制御する楽曲記録制御方法であって、
前記第１の記録媒体に記録された各楽曲を順次読み出すステップと、
前記第１の記録媒体から読み出された最初の楽曲を再生対象楽曲として再生を開始するステップと、
楽曲の再生が終了した場合に、再生を終了した楽曲の次の楽曲を再生対象楽曲として、その再生を開始し、楽曲の再生の終了前の楽曲の再生中に、所定のユーザ操作があった場合に、再生中の楽曲の再生を中止し、再生中の楽曲の次の楽曲を再生対象楽曲として、その再生を開始すると共に、再生を中止した楽曲を削除対象楽曲として、当該楽曲の識別情報を記憶するステップと、
前記第１の記録媒体から読み出された楽曲を、当該楽曲の再生とは非同期に、順次、オーディオファイルとして前記第２の記録媒体に記録するステップと、
記憶されている識別情報が示す楽曲のオーディオファイルを、当該オーディオファイルの第２の記録媒体への記録後に、前記第２の記録媒体から削除するステップとを有することを特徴とする楽曲記録制御方法。
【請求項９】
第１の記録媒体に記録された楽曲を読み出して、第２の記録媒体に記録し、第２の記録媒体に記録した楽曲を再生するオーディオ記録再生装置において、第１の記録媒体に記録された楽曲を読み出して第２の記録媒体への記録を制御する楽曲記録制御方法であって、
前記第１の記録媒体に記録された各楽曲を順次読み出すステップと、
前記第１の記録媒体から読み出された楽曲を、順次、オーディオファイルとして前記第２の記録媒体に記録するステップと、
前記第１の記録媒体から読み出された最初の楽曲を再生対象楽曲として再生を開始するステップと、
楽曲の再生が終了した場合に、再生を終了した楽曲の次の楽曲を再生対象楽曲として、その再生を開始し、楽曲の再生の終了前の楽曲の再生中に、所定のユーザ操作があった場合に、再生中の楽曲の再生を中止し、再生中の楽曲の次の楽曲を再生対象楽曲として、その再生を開始すると共に、再生を中止した楽曲の前記第２の記録媒体上のオーディオファイルが重要度の低いオーディオファイルであることを示す重要度情報を、前記第２の記録媒体に記録するステップとを有することを特徴とする楽曲記録制御方法。
【請求項１０】
コンピュータによって読み取られ実行されるコンピュータプログラムであって、
前記コンピュータに、
複数の楽曲が記録された第１の記録媒体に記録された各楽曲を順次読み出すステップと、
前記第１の記録媒体から読み出された最初の楽曲を再生対象楽曲として再生を開始するステップと、
楽曲の再生が終了した場合に、再生を終了した楽曲の次の楽曲を再生対象楽曲として、その再生を開始し、楽曲の再生の終了前の楽曲の再生中に、所定のユーザ操作があった場合に、再生中の楽曲の再生を中止し、再生中の楽曲の次の楽曲を再生対象楽曲として、その再生を開始すると共に、再生を中止した楽曲を削除対象楽曲として、当該楽曲の識別情報を記憶するステップと、
前記第１の記録媒体から読み出された楽曲を、当該楽曲の再生とは非同期に、順次、オーディオファイルとして前記第２の記録媒体に記録するステップと、
記憶されている識別情報が示す楽曲のオーディオファイルを、当該オーディオファイルの第２の記録媒体への記録後に、前記第２の記録媒体から削除するステップとを実行させることを特徴とするコンピュータプログラム。
【請求項１１】
コンピュータによって読み取られ実行されるコンピュータプログラムであって、
前記コンピュータに、
複数の楽曲が記録された第１の記録媒体に記録された各楽曲を順次読み出すステップと、
前記第１の記録媒体から読み出された楽曲を、順次、オーディオファイルとして前記第２の記録媒体に記録するステップと、
前記第１の記録媒体から読み出された最初の楽曲を再生対象楽曲として再生を開始するステップと、
楽曲の再生が終了した場合に、再生を終了した楽曲の次の楽曲を再生対象楽曲として、その再生を開始し、楽曲の再生の終了前の楽曲の再生中に、所定のユーザ操作があった場合に、再生中の楽曲の再生を中止し、再生中の楽曲の次の楽曲を再生対象楽曲として、その再生を開始すると共に、再生を中止した楽曲の前記第２の記録媒体上のオーディオファイルが重要度の低いオーディオファイルであることを示す重要度情報を、前記第２の記録媒体に記録するステップとを実行させることを特徴とするコンピュータプログラム。
【発明の詳細な説明】
【０００１】
【発明の属する技術分野】
本発明は、楽曲を記録すると共に記録した楽曲を再生するオーディオ再生装置に関するものである。
【０００２】
【従来の技術】
従来より、オーディオ記録再生装置において、個人的利用目的において、ＣＤ−ＤＡ（Ｃｏｍｐａｃｔ  Ｄｉｓｃ  Ｄｉｇｉｔａｌ  Ａｕｄｉｏ）に記録された楽曲をＨＤＤ（ハードディスクドライブ）にオーディオファイルとして記録（ダビング／リッピング）し、その後は、オリジナルのＣＤ−ＤＡを必要とすることなく、ＨＤＤに記録した楽曲をオーディオ記録再生装置上で再生可能とするＣＤリッピング等と呼ばれる技術が知られている（たとえば、特表２００３−５０７８３６号公報）。
【０００３】
一方で、このようなダビングやリッピングのように、第１の記録媒体に記録された楽曲を読み出して第２の記録媒体に記録する技術としては、第１の記録媒体に記録された楽曲を再生しながら、その再生と同時に、再生中の楽曲を第２の記録媒体に記録すると共に、ある楽曲の再生中に停止を指示された場合に、再生中の楽曲の再生と、記録中の楽曲の第２の記録媒体の記録を停止し、それまでに第２の記録媒体に記録した、記録中であった楽曲の部分を消去する技術が知られている（たとえば、特開２００２−６３７６２号公報）。
この出願の発明に関連する先行技術文献情報としては以下のものがある。
【０００４】
【特許文献１】
特表２００３−５０７８３６号公報
【０００５】
【特許文献２】
特開２００２−６３７６２号公報
【０００６】
【発明が解決しようとする課題】
さて、たとえば、前述したようにＣＤ−ＤＡに記録された各楽曲をＨＤＤにオーディオファイルとしてＨＤＤに記録するときに、併せてＣＤ−ＤＡに記録された楽曲を再生する場合、ＣＤ−ＤＡに記録された楽曲のＨＤＤへの記録は、ＣＤ−ＤＡに記録された楽曲の再生に比べ高速に行うことができる。したがって、ある楽曲の再生を行う場合には、その楽曲のオーディオファイルとしてのＨＤＤへの記録は既に完了している場合が多い。
【０００７】
そして、このように楽曲の記録と再生は非同時的に行われるために、楽曲の記録と再生が同時に行われることを前提とした、停止の指示に応じて、再生中の楽曲の再生と、記録中の楽曲の第２の記録媒体の記録を停止し、それまでに第２の記録媒体に記録した、記録中であった楽曲の部分を消去する技術を、ＣＤ−ＤＡからＨＤＤへの楽曲のリッピング／ダビングに適用することはできない。
【０００８】
そして、このために、ユーザは、ＣＤ−ＤＡに記録された楽曲のＨＤＤへの記録と再生が完了した後に、ユーザが再生された楽曲を聴いた上で不要と判断した楽曲のオーディオファイルを個々にＨＤＤから削除する煩雑な作業を行う必要があった。
【０００９】
そこで、本発明は、第１の記録媒体に記録された楽曲の第２の記録媒体への記録と、第１の記録媒体に記録された楽曲の再生を、当該楽曲の記録を再生に先行する形態で行う場合に、ユーザが再生された楽曲を聴いた上で不要と判断した楽曲を、ユーザが、煩雑な操作を必要とすることなしに第２の記録媒体から削除することができるオーディオ記録再生装置を提供することを課題とする。
【００１０】
【課題を解決するための手段】
前記課題達成のために、本発明は、たとえば、第１の記録媒体に記録された楽曲を読み出して、第２の記録媒体に記録し、第２の記録媒体に記録した楽曲を再生するオーディオ記録再生装置に、前記第１の記録媒体に記録された各楽曲を順次読み出す読み出し手段と、前記読み出し手段が読み出した楽曲を順次再生する再生手段と、前記読み出し手段が読み出した楽曲を、当該楽曲の前記再生手段による再生とは非同期に、順次、オーディオファイルとして前記第２の記録媒体に記録する記録手段と、オーディオファイル削除手段とを備え、前記再生手段において、前記楽曲の再生中に、所定のユーザ操作があった場合に、再生中の楽曲の再生を中止し、再生中の楽曲の次の楽曲の再生を開始すると共に、再生を中止した楽曲を削除対象楽曲として、当該楽曲の識別情報を記憶し、前記オーディオファイル削除手段において、前記再生手段が記憶した識別情報が示す楽曲のオーディオファイルを、当該オーディオファイルの前記記録手段による第２の記録媒体への記録後に、前記第２の記録媒体から削除するようにしたものである。
【００１１】
このようなオーディオ記録再生装置によれば、第１の記録媒体に格納されている楽曲の第２の記録媒体への記録と併せて、第１の記録媒体に格納されている楽曲の再生が行われるが、楽曲の再生中に所定のユーザ操作があった場合には、再生する楽曲を次の楽曲にスキップすると共に、再生中に所定のユーザ操作があった楽曲の識別情報を記憶しておき、その後に、記憶した識別情報が示す楽曲のオーディオファイルを第２の記録媒体から削除する。
【００１２】
したがって、楽曲の記録と再生が非同時的に行われる場合であっても、ユーザは、再生される楽曲を聞きながら、当該楽曲を第２の記録媒体に記録したくない場合には、所定の操作を行うだけで、当該楽曲のオーディオファイルが第２の記録媒体に記録されないようにすることができる。
【００１３】
ここで、このようなオーディオ記録再生装置は、前記再生手段において、前記楽曲の再生中に、前記所定のユーザ操作とは異なる予め定めたユーザ操作があった場合に、再生中の楽曲の再生を中止し、再生を中止した楽曲を削除対象楽曲として記憶せずに、または、再生中止後にユーザから楽曲の削除の指示を受け付けた場合を除いて再生を中止した楽曲を削除対象楽曲として記憶せずに、再生中の楽曲の次の楽曲の再生を開始するようにすることが好ましい。
【００１４】
このようにすることにより、ユーザは、再生される楽曲を聞きながら、当該楽曲を第２の記録媒体に記録しないようにすることも、当該楽曲を第２の記録媒体に記録するようにしつつ、次の楽曲のチェックを行うために再生する楽曲を次の楽曲にスキップさせることもできるようになる。
【００１５】
また、この場合には、前記所定のユーザ操作を、たとえば、前記楽曲の再生開始後所定期間内の再生スキップ操作とし、前記予め定めたユーザ操作を、前記楽曲の再生開始後所定期間経過後の再生スキップ操作とするようにしてもよい。ここで、ユーザが楽曲を短期間しか聴かずに再生をスキップした場合には、当該楽曲はユーザの嗜好に合わない楽曲であると推定することができるので、このようにすることにより、ユーザの操作性を向上することができる。
【００１６】
また、前記課題達成のために、本発明は、第１の記録媒体に記録された楽曲を読み出して、第２の記録媒体に記録し、第２の記録媒体に記録した楽曲を再生するオーディオ記録再生装置に、前記第１の記録媒体に記録された各楽曲を順次読み出す読み出し手段と、前記読み出し手段が読み出した楽曲を順次再生する再生手段と、前記読み出し手段が読み出した楽曲を、順次、オーディオファイルとして前記第２の記録媒体に記録する記録手段と、オーディオファイル管理手段とを備え、前記再生手段において、前記楽曲の再生中に、所定のユーザ操作があった場合に、再生中の楽曲の再生を中止して、再生中の楽曲の次の楽曲の再生を開始し、前記オーディオファイル管理手段において、前記再生手段が前記所定のユーザ操作に応じて再生を中止した楽曲の前記第２の記録媒体上のオーディオファイルが重要度の低いオーディオファイルであることを示す重要度情報を、前記第２の記録媒体に記録するようにしたものである。
【００１７】
ここで、ユーザが楽曲の再生をスキップした場合には、当該楽曲はユーザにとって重要性が低い楽曲であると推定することができるので、このように各楽曲のオーディオファイルの重要度情報を記録することにより、その後の各種操作におけるユーザの重要度に応じたファイルの選択等を容易化することができる。
【００１８】
すなわち、たとえば、このようなオーディオ記録再生装置に、前記第２の記録媒体に記録された重要度情報が、重要度の低いオーディオファイルであることを示すオーディオファイルを削除候補オーディオファイルとしてユーザに提示する削除候補抽出手段と、ユーザの削除指示操作に応じて、ユーザに提示した各オーディオファイル、または、ユーザに提示したオーディオファイルの内からユーザによって選択されたオーディオファイルを、前記第２の記録媒体から削除するオーディオファイル整理手段とを備えるようにすれば、ユーザの重要度の低いオーディオファイルの削除作業を容易化することができる。
【００１９】
または、このようなオーディオ記録再生装置に、前記第２の記録媒体に記録された各オーディオファイルの情報を、前記重要度情報が重要度の低いオーディオファイルであることを示すオーディオファイルの情報がより後に提示される形態で、ユーザに提示するオーディオファイル情報提示手段と、前記オーディオファイル情報提示手段が提示したオーディオファイルの内から、ユーザによって選択されたオーディオファイルを登録したプレイリストを編集するプレイリスト編集手段と、前記プレイリストに登録された各オーディオファイルを順次再生するプレイリスト再生手段とを備えるようにすれば、重要なオーディオファイルすなわちユーザがプレイリストに加えることを希望するであろうオーディオファイルを、重要度の低いオーディオファイルよりも前にユーザに提示することができるので、ユーザのプレイリストの編集時の、オーディオファイルの選択作業を容易化することができる。
【００２０】
なお、以上の各オーディオ記録再生装置において、前記第１の記録媒体は当該オーディオ記録再生装置に脱着可能に装着されるＣＤ−ＤＡであってよく、また、前記第２の記録媒体はハードディスクであってよい。また、この場合には、前記読み出し手段は、前記ＣＤ−ＤＡに記録された各楽曲を順次読み出して保持するものであってよく、前記再生手段は、前記読み出し手段が保持している楽曲を順次再生するものであってよく、前記記録手段は、前記読み出し手段が保持している各楽曲を、当該楽曲の前記再生手段による再生とは非同期に、順次、所定の符号化アルゴリズムで符号化して、前記オーディオファイルとして前記ハードディスクに記録するものであることが好ましい。
【００２１】
【発明の実施の形態】
以下、本発明の実施形態について説明する。
図１に、本実施形態に係るオーディオ記録再生装置の構成を示す。
図示するように、本実施形態に係るオーディオ記録再生装置は、オーディオ処理装置１、表示装置２、入力装置３、スピーカやオーディオアンプ装置などのオーディオ出力装置４、ＨＤＤ５、ＣＤ−ＤＡ６１用のドライブ装置であるＣＤドライブ６とを有している。
【００２２】
そして、オーディオ処理装置１は、ＣＰＵ１１、メモリ１２、表示装置２に接続する表示インタフェース１３、オーディオ出力装置４に接続するオーディオ出力インタフェース１４、ＨＤＤ５に接続するＨＤＤインタフェース１５、ＣＤドライブ６に接続するＣＤドライブインタフェース１６、入力装置３に接続する入力インタフェース１７と、以上の各部を接続するバス２１とを備えている。ここで、表示インタフェース１３、オーディオ出力インタフェース１４、ＨＤＤインタフェース１５、ＣＤドライブインタフェース１６、入力インタフェース１７は、各々接続する装置と、オーディオ処理装置１との間との入出力を処理するものである。
【００２３】
次に、ＣＰＵ１１のＨＤＤ５に予め記憶されたコンピュータプログラムの実行により、このようなオーディオ処理装置１上に実現される機能構成を図２に示す。
図示するように、オーディオ処理装置１は、機能的には、オペレーティングシステム２０１と、オペレーティングシステム２０１上のアプリケーションプロセスである記録再生処理部２０２とを有し、記録再生処理部２０２は、記録再生制御部２０２１、再生処理部２０２２、記録処理部２０２３を有する。
【００２４】
このような構成において、ＨＤＤ５には、前述したコンピュータプログラムの他、各ＣＤ−ＤＡ６１の種類（アルバム）毎にアルバム名やアーティスト名や各楽曲のタイトルなどの情報をＣＤ−ＤＡ６１のＴＯＣ情報に対応づけて登録したＣＤＤＢ２１１と、プレイリスト２１２と、オーディオファイル管理テーブル２１３と、オーディオファイル２１４が格納されている。
【００２５】
また、ＣＤ−ＤＡ６１には、ＴＯＣ（Ｔａｂｌｅ  Ｏｆ  Ｃｏｎｔｅｎｔｓ）情報と、各々が一つの楽曲の楽曲データであるオーディオトラックが記録されている。ＴＯＣ情報は、ＣＤ−ＤＡーに記録されているオーディオトラックの数や各オーディオトラックの長さ等を示しており、したがって、実質上、ＣＤ−ＤＡ６１の種類（アルバム）毎に異なる値を持つ。そして、このため、このＴＯＣ情報は、ＣＤ−ＤＡ６１の種類（アルバム）を識別するための識別情報として利用することができる。
【００２６】
一方、ＨＤＤ５上のＣＤＤＢ２１１は、図３ａに示すように、ＣＤ−ＤＡ６１の種類（アルバム）毎のレコードを有し、各レコードには対応する種類のＣＤ−ＤＡ６１に記録されているべきＴＯＣ情報と、ＣＤ−ＤＡ６１に収録されたアルバムや楽曲についての情報であるＣＤ情報が登録されている。そして、ＣＤ情報には、対応する種類のＣＤ−ＤＡ６１にＣＤＤＢ２１１の制作者が与えた識別番号と、対応する種類のＣＤ−ＤＡ６１に記録されている楽曲のアルバムのアルバム名や、対応する種類のＣＤ−ＤＡ６１に記録されている楽曲のアーティスト名や、対応する種類のＣＤ−ＤＡ６１に記録されている楽曲のアルバムの音楽としてのジャンルや、対応する種類のＣＤ−ＤＡ６１に記録されている各楽曲のトラック番号やタイトルなどの、その種類のＣＤ−ＤＡ６１に記録されている楽曲に関する情報が記述されている。
【００２７】
次に、ＨＤＤ５上の、オーディオファイル２１４は、楽曲のオーディオデータを格納したファイルであり、オーディオファイル２１４中にはファイル名等が記述されたファイル情報とオーディオデータと共に、楽曲のアーティスト名や楽曲名や楽曲のジャンルや楽曲の属するアルバム名などのデータを示す文字情報であるタグ情報が格納されている。なお、このようなタグ情報としては、ＭＰ３（ＭＰＥＧ  １  ＡＵＤＩＯ  ＬＡＹＥＲ−３）フォーマットのオーディオファイル２１４で利用されている、ＩＤ３タグ情報などが知られている。
【００２８】
次に、オーディオファイル管理テーブル２１３は、ＨＤＤ５上に記録された全てのオーディオファイル２１４を管理するテーブルであり、図３ｂに示すように、各オーディオファイル毎のエントリを有し、各エントリにはオーディオファイル２１４に与えた識別子である楽曲ＩＤ、オーディオファイル２１４のＨＤＤ５上のロケーションを示すオーディオファイルパス、オーディオファイル２１４の重要度を表す重要度フラグ、楽曲に対応するオーディオファイル２１４に格納されたオーディオデータのビットレート、オーディオファイル２１４の楽曲のタイトルやアルバム名やアーティスト名やジャンルなどの楽曲情報が記録されている。
【００２９】
そして、図３ｃに示すように、ＨＤＤ５に記録されるプレイリスト２１２は、オーディオファイル２１４のリストであり、プレイリスト２１２の名称であるプレイリスト名称が記述される。また、プレイリスト２１２には、当該プレイリスト２１２に登録された各オーディオファイル２１４の楽曲ＩＤが、標準に再生順に登録される。
【００３０】
さて、このような構成において、オペレーティングシステム２０１は、記録再生処理部２０２の、ＨＤＤ５に格納されたプレイリスト２１２やオーディオファイル２１４やＣＤＤＢ２１１や、ＣＤ−ＤＡ６１に記録されたＴＯＣ情報やオーディオトラックに対するアクセスや、表示装置２や入力装置３やオーディオ出力装置４との間の入出力を制御する。
【００３１】
以下、記録再生処理部２０２の動作について説明する。
記録再生処理部２０２の記録再生制御部２０２１は、起動されると、まず表示装置２に、図４ａに示すコントロールウインドウを表示する。
図示するようにコントロールウインドウは、再生ボタン４０１と、スキップボタン４０２と、後方スキップボタン４０３と、ＣＤ取り込みボタン４０４、ＨＤＤ５に記録されているプレイリスト２１２の一覧を示すプレイリストエリア４０５と、プレイリストエリア４０５で選択されたプレイリスト２１２に登録されているオーディオファイル２１４の情報を表示する楽曲エリア４０６とを有する。楽曲エリア４０６には、プレイリストエリア４０５上で、ユーザによって選択された、プレイリスト２１２に登録されている楽曲ＩＤを持つオーディオファイル管理テーブル２１３のエントリに記述されている楽曲情報を、プレイリスト２１２に登録された楽曲ＩＤの順に表示する。
【００３２】
また、このコントロールウインドウの表示に関して、オーディオファイル管理テーブル２１３も、「ライブラリ」とのプレイリスト名称を持ち、ＨＤＤ５に記録された全てのオーディオファイル２１４が登録されたプレイリストとして扱い、コントロールウインドウのプレイリストエリア４０５にプレイリスト名称を表示する。また、プレイリストエリア４０５でライブラリのプレイリスト２１２が選択された場合には、楽曲エリア４０６には、オーディオファイル管理テーブル２１３のエントリに記述されている楽曲情報を、エントリに記述されている重要度フラグが示す重要度の高い順に表示する。
【００３３】
さて、このようなコントロールウインドウ上で、ライブラリ以外のプレイリスト２１２のいずれかが選択され、再生ボタン４０１が操作されたならば、記録再生制御部２０２１は、再生制御部を制御して、そのプレイリスト２１２に楽曲ＩＤが登録されている順に、順次、その楽曲ＩＤを持つオーディオファイル管理テーブル２１３のエントリに登録されているオーディオファイルパスが示すオーディオファイル２１４をＨＤＤ５から読み出してオーディオファイル２１４中のオーディオデータに必要なデコード処理を施して、オーディオ出力装置４に出力することにより再生する処理を行わせる。また、スキップボタン４０２が操作されたならば、再生するオーディオファイル２１４を、プレイリスト２１２に登録されている再生中のオーディオファイル２１４の楽曲ＩＤの次の楽曲ＩＤのオーディオファイル２１４に進める。また、後方スキップボタン４０３が２度連続操作されたならば、再生するオーディオファイル２１４を、プレイリスト２１２に登録されている再生中のオーディオファイル２１４の楽曲ＩＤの前の楽曲ＩＤに対応するオーディオファイル２１４に変更する。また、後方スキップボタン４０３が一度だけ操作されたならば、再生中のオーディオファイル２１４の再生を始めから開始する。ただし、オーディオファイル２１４の再生開始後数秒以内に、後方スキップボタン４０３が一度操作された場合には、再生するオーディオファイル２１４を、プレイリスト２１２に登録されている再生中のオーディオファイル２１４の楽曲ＩＤの前の楽曲ＩＤに対応するオーディオファイル２１４に変更するようにしてもよい。
【００３４】
また、コントロールウインドウ上で、ライブラリのプレイリスト２１２が選択され、再生ボタン４０１が操作されたならば、記録再生制御部２０２１は、再生制御部を制御して、オーディオファイル管理テーブル２１３の各エントリに登録されているオーディオファイルパスが示すオーディオファイル２１４を当該エリアの楽曲情報を楽曲エリア４０６に表示した順に、順次ＨＤＤ５から読み出して、オーディオファイル２１４中のオーディオデータに必要なデコード処理を施して、オーディオ出力装置出力することにより再生する処理を行わせる。また、スキップボタン４０２が操作されたならば、再生するオーディオファイル２１４を、楽曲エリア４０６において再生中の楽曲情報の次に楽曲情報を表示したオーディオファイル２１４に進める。また、後方スキップボタン４０３が２度連続操作されたならば、再生するオーディオファイル２１４を、楽曲エリア４０６において再生中の楽曲情報の前に楽曲情報を表示したオーディオファイル２１４に変更する。また、後方スキップボタン４０３が一度だけ操作されたならば、再生中のオーディオファイル２１４の再生を始めから開始する。ただし、オーディオファイル２１４の再生開始後数秒以内に、後方スキップボタン４０３が操作された場合には、再生するオーディオファイル２１４を、楽曲エリア４０６において再生中の楽曲情報の前に楽曲情報を表示したオーディオファイル２１４に変更するようにしてもよい。
【００３５】
また、記録再生制御部２０２１は、再生ボタン４０１が操作されたならば、コントロールウインドウに再生ボタン４０１に代えて一時停止ボタンを表示し、一時停止ボタンの操作に応じて再生処理部２０２２に再生の一時停止を行わせる処理も行う。
次に、記録再生制御部２０２１は、ユーザから所定の新規プレイリスト作成要求操作があった場合、新たなプレイリスト２１２をＨＤＤ５に作成すると共に、ユーザからプレイリスト名称の指定を受け付け、受け付けたプレイリスト名称を作成したプレイリスト２１２に登録する。また、作成したプレイリスト２１２のプレイリスト名称を、コントロールウインドウのプレイリストエリア４０５に表示する。
【００３６】
また、記録再生制御部２０２１は、コントロールウインドウを用いた、以下のプレイリスト作成処理も行う。
コントロールウインドウのプレイリストエリア４０５で、ライブラリのプレイリスト２１２が選択され、楽曲エリア４０６には、オーディオファイル管理テーブル２１３のエントリに記述されている楽曲情報が、エントリに記述されている重要度フラグが示す重要度の高い順に表示されている状態において、任意の楽曲情報の、プレイリストエリア４０５上の任意プレイリスト名称上へのドラッグアンドドロップ操作が行われたならば、オーディオファイル管理テーブル２１３を参照して、楽曲情報がドロップされたプレイリスト名称に対応するプレイリスト２１２に、ドロップされた楽曲情報に対応するオーディオファイル２１４の楽曲ＩＤを追加する。
【００３７】
ここで、前述のように、ライブラリの楽曲情報はオーディオファイル管理テーブル２１３に登録されている重要度フラグが示す重要度の高い順に提示されるので、以上のようなプレイリスト作成の作業において、ユーザは、重要度の高いオーディオファイル２１４ほど、より容易に他のプレイリスト２１２に登録するオーディオファイル２１４として選択することができる。
【００３８】
さて、次に、コントロールウインドウのＣＤ取り込みボタン４０４が操作されたならば、記録再生制御部２０２１は、ＣＤドライバにＣＤ−ＤＡ６１が装着されていることを確認し、ＣＤ−ＤＡ６１が装着されていれば、以下のＣＤ取込処理をおこなう。
図５ａに、このＣＤ取込処理の手順を示す。
図示するように、この処理では、まず、メモリ１２上にトラックリストを作成する（ステップ５０２）。
ここで、図４ｄに示すように、トラックリストは、トラック番号、バッファ内位置、楽曲ＩＤ、スキップフラグ、削除フラグのフィールドを持つエントリを有するテーブルである。
図５ａに戻り、トラックリストを作成したならば、ＣＤ−ＤＡ６１からＴＯＣ情報を読み込む（ステップ５０４）。そして、ＴＯＣ情報から求まるＣＤ−ＤＡ６１に記録されている各トラックのトラック番号とトラック数ｎを求め、トラックリストにｎ個のエントリを作成し、各エントリにトラック番号を登録する。また、先に読み出したＴＯＣ情報にマッチするＣＤＤＢ２１１のＣＤ情報を読み出し、ＣＤ情報から求まる各トラックの楽曲のタイトルやアルバム名やアーティスト名やジャンルなどの楽曲情報をトラックリストに登録する（ステップ５０６）。
【００３９】
そして、トラックバッファリング処理と、記録中再生処理を起動する（ステップ５１０、５１２）。
図５ｂに示すように、トラックバッファリング処理では、ＣＤ−ＤＡ６１のトラックの各々について（ステップ５５２、５５８、５６０）、トラック番号順に、順次、トラックのオーディオデータをＣＤ−ＤＡ６１から読み出し、メモリ１２の上に設けたバッファに格納し（ステップ５５４）、トラックのオーディオデータを格納したバッファ内の位置を、そのトラックに対応するトラックリストのエントリに登録する（ステップ５５６）処理を行い、全てのトラックについてバッファリングとトラックリストへの登録が完了したならば（ステップ５５８）、処理を終了する。
【００４０】
さて、図５ａに戻り、ＣＤ取込処理では、トラックバッファリング処理と記録中再生処理を起動したならば、ｎ個のトラックの各々について（ステップ５２６、５２８）、トラック番号順に順次、以下の処理を行う。
すなわち、トラックバッファリング処理によりトラックのバッファリングが既に完了しているかどうかを、トラックリストの対応するトラックのエントリにバッファ内位置が登録されているかどうかより調べ（ステップ５１４）、バッファリングが既に完了していれば、記録処理部２０２３によって、トラックリストの対応するトラックのエントリに登録されているバッファ内よりオーディオデータを読み出して、ＭＰ３やＡＡＣなどの所定の符号化アリゴリズムに従って予め設定されたビットレートの符号化オーディオデータに符号化する（ステップ５１６）。また、先に求めたＣＤ情報に基づいて（ステップ５１８）、符号化したオーディオデータのタグ情報を作成し、符号化オーディオデータと共にオーディオファイル２１４としてＨＤＤ５に記録する（ステップ５２０）。そして、オーディオファイル管理テーブル２１３に、記録したオーディオファイル２１４のエントリを作成し、新たに付与した楽曲ＩＤと、記録したオーディオファイル２１４のオーディオファイルパスと、符号化に用いたビットレートや、先に読み出したＣＤ情報から求まる当該オーディオファイル２１４の楽曲の楽曲情報を登録する。また、このエントリの重要度フラグを”高”に設定する（ステップ５２２）。
【００４１】
そして、トラックリストの記録したオーディオファイル２１４に対応するトラックのエントリに、当該オーディオファイル２１４に与えた楽曲ＩＤを登録する（ステップ５２４）。
そして、全てのトラックについて以上の処理が終了したならば処理を終了する。
次に、以上のＣＤ取込処理のステップ５１２で起動された記録中再生処理について説明する。
図６ａに、この記録中再生処理の手順を示す。
図示するように、起動された記録中再生処理は、まず、コントロールウインドウの表示を、図４ｂに示すように更新する（ステップ６０２）。
すなわち、プレイリストエリア４０５にＣＤとの文字列の選択状態を表す形態での表示を行うと共に、楽曲エリア４０６にトラックリストの各エントリに登録されている楽曲情報を、トラック番号の順に表示する。また、図４ａのＣＤ取り込みボタン４０４に代えて、再生中トラック記録キャンセルボタン４０８を表示する。また、再生ボタン４０１に代えて一時停止ボタン４０７を表示する。
【００４２】
そして、次に、トラックリストに登録されたｎ個のトラックの各々を順次、トラック番号順に、再生対象トラックとして以下の処理を行う（ステップ６０４、６２０、６２６）。
すなわち、トラックバッファリング処理により再生対象トラックのバッファリングが既に完了しているかどうかを、トラックリストの再生対象トラックのエントリにバッファ内位置が登録されているかどうかより調べ（ステップ６０６）、バッファリングが既に完了していれば、再生処理部２０２２による、トラックリストの再生対象トラックのエントリに登録されているバッファ内のオーディオデータを読み出してオーディオ出力装置４に出力する再生処理を開始させる（ステップ６０８）。
【００４３】
そして、オーディオデータの再生中に後方スキップボタン４０３による後方スキップ操作があったならば（ステップ６１０）、再生対象トラックが２番目以降のトラックでなければ（ステップ６２７）、再生処理部２０２２に、再生対象トラックのバッファ内のオーディオデータの再生処理を始めから行わせる（ステップ６０８）。一方、再生対象トラックが２番目以降のトラックである場合には、最初の後方スキップの後、所定期間（たとえば、０．５秒）内にもう一度後方スキップ操作があるかどうかを監視し（ステップ６２７）、もう一度後方スキップ操作があったならば、再生対象トラックを、再生対象トラックの一つ前のトラックに変更した（ステップ６２８）上で、再生処理部２０２２に、再生対象トラックのバッファ内のオーディオデータの再生処理を再度始めから開始させる（ステップ６０８）。一方、所定期間内に２度目の後方スキップ操作がなかった場合には、再生処理部２０２２に、再生対象トラックのバッファ内のオーディオデータの再生処理を始めから行わせる（ステップ６０８）。ただし、ステップ６２７では、再生対象トラックが２番目以降のトラックであって、最初の後方スキップ操作が行われた時点が、再生対象トラックの再生開始後数秒（たとえば４秒）以内である場合には、無条件にステップ６２８に進んで、再生対象トラックの一つ前のトラックに変更した上で、再生処理部２０２２に、再生対象トラックのバッファ内のオーディオデータの再生処理を再度始めから開始させる（ステップ６０８）ようにしてもよい。
なお、記録再生制御部２０２１は、コントロールウインドウの楽曲エリア４０６の、再生対象トラックの楽曲情報を選択状態を表す表示とする処理も行う。
【００４４】
また、再生対象トラックの再生終了前に、一時停止ボタン４０７が操作されたならば（ステップ６１２）、再生処理部２０２２に、一時停止ボタン４０７に代えて再生ボタン４０１を表示すると共に、再生ボタン４０１による再生操作があるまで、再生対象トラックのバッファ内のオーディオデータの再生を一時的に停止させる（ステップ６２４）。
【００４５】
また、再生対象トラックのバッファ内のオーディオデータの再生中に、スキップボタン４０２によるスキップ操作があったならば（ステップ６１４）、トラックリストの再生中のトラックのエントリのスキップフラグをオンに設定し（ステップ６３０）、図４ｃに示す問い合わせウインドウにより、再生中のトラックのオーディオファイル２１４の削除の要否を問い合わせる（ステップ６３２）。そして、問い合わせウインドウの記録しないボタン４１１によって削除することが選択されたならば（ステップ６３４）、トラックリストの再生対象トラックのエントリの削除フラグをオンに設定し（ステップ６３６）、問い合わせウインドウを閉じる。一方、記録するボタン４１２によって削除しないことが選択された場合には（ステップ６３４）、そのまま問い合わせウインドウを閉じる。
【００４６】
また、再生対象トラックのバッファ内のオーディオデータの再生中に、再生中トラック記録キャンセルボタン４０８の操作によるトラック記録キャンセル操作があったならば（ステップ６１６）、トラックリストの再生対象トラックのエントリの削除フラグをオンに設定する（ステップ６３６）。
【００４７】
そして、再生対象トラックの再生が終了したか（ステップ６１８）、スキップボタン４０２の操作に応じて前記ステップ６３０、６３２、６３４、６３６の処理部分を完了したか、再生中トラック記録キャンセル操作ボタンの操作に応じて前記ステップ６３６の処理を完了したならば、再生対象トラックがトラックリストの最後のトラックであるかどうかを調べ（ステップ６２０）、最後のトラックでなければ、再生対象トラックを、再生対象トラックの次のトラックに変更し（ステップ６２６）、変更後の再生対象トラックについて以上のステップ６０６からの処理を行う。
【００４８】
一方、再生対象トラックが最後のトラックであれば（ステップ６２０）、オーディオファイル整理処理を起動して（ステップ６２２）、処理を終了する。
さて、このステップ６２２で起動されたオーディオファイル整理処理では、図６ｂに示すように、まず、トラックリストの削除フラグがオンに設定されている全てのエントリの楽曲ＩＤを取得し（ステップ６５２）、オーディオファイル管理テーブル２１３より、取得した楽曲ＩＤを持つオーディオファイル２１４のオーディオファイルパスを抽出し（ステップ６５４）、抽出したオーディオファイルバスを持つオーディオファイル２１４をＨＤＤ５より削除する（ステップ６５６）。そして、オーディオファイル管理テーブル２１３より削除したオーディオファイル２１４のエントリを消去する（ステップ６５８）。
【００４９】
そして、次に、トラックリストの削除フラグがオンに設定されておらず、スキップフラグがオンに設定されている全てのエントリの楽曲ＩＤを取得し（ステップ６６０）、取得した楽曲ＩＤを持つオーディオファイル管理テーブル２１３のエントリの重要度フラグを”低”に設定する（ステップ６６２）。
【００５０】
そして、トラックリストを削除し（ステップ６６４）、処理を終了する。
以上、ＣＤ取込処理について説明した。
このようなＣＤ取込処理によれば、ＣＤ−ＤＡ６１に記録されている各トラックのオーディオデータのＨＤＤ５へのオーディオファイル２１４としての記録と、再生は、たとえば、図７ａに示すように行われる。
すなわち、ＣＤ−ＤＡ６１に＃１から＃４のトラックが記録されている場合には、ａ１のように、各トラックのオーディオデータのメモリ１２上のバッファへのバッファリングが逐次的に行われ、＃１のトラックのオーディオデータのバッファリングが完了しだい、ａ２に示すように、バッファ内の＃１から＃４のトラックのオーディオデータの符号化とＨＤＤ５への記録が逐次的に行われる。また、ａ３に示すように、＃１のトラックのオーディオデータのバッファリングが完了しだい、バッファ内の＃１から＃４のトラックのオーディオデータの再生が順次行われるが、もし、＃２のトラックのオーディオデータの再生中にトラック記録キャンセル操作、または、スキップ操作及び問い合わせウインドウの記録しないボタン４１１の操作７０１が成された場合には、即座に＃２のトラックのオーディオデータの再生を停止し、次の＃３のトラックのオーディオデータからの再生に進む。そして、ａ４に示すように、最後のトラック＃４のオーディオデータの再生が完了した後に、再生中に、トラック記録キャンセル操作、または、スキップ操作及び問い合わせウインドウの記録しないボタン４１１の操作７０１が成された＃２のトラックのオーディオデータを符号化してＨＤＤ５に記録したオーディオファイル２１４の削除が行われる。
【００５１】
ところで、以上のＣＤ取込処理では、記録中再生処理において、スキップ操作が成された場合に、問い合わせウインドウを表示し、表示した問い合わせウインドウの記録しないボタン４１１の操作があった場合に、トラックリストの再生中のトラックの削除フラグをオンに設定するようにしたが、これは、コントロールウインドウの再生中トラック記録キャンセルボタンを廃し、スキップ操作が成された場合には、無条件にトラックリストの再生中のトラックの削除フラグをオンに設定するようにしてもよい。
【００５２】
または、再生中トラック記録キャンセルボタンを廃することなく、以上のＣＤ取込処理において、スキップ操作が成された場合には、問い合わせウインドウの表示やトラックリストの再生中のトラックの削除フラグのオンへの設定は行わずに、再生の次楽曲へのスキップのみを行うようにしてもよい。
【００５３】
または、トラックのオーディオデータの再生開始後の所定期間（たとえば、５秒）以内にスキップ操作が成された場合に、無条件にトラックリストの再生中のトラックの削除フラグをオンに設定するようにしてもよい。すなわち、この場合にはステップ６３０と６３２の間に、トラックのオーディオデータの再生開始後の経過時間が所定期間か否かを判定する判定ステップを新たに設け、所定期間以内であれば、ステップ６３６に進むようにすればよい。また、この場合には、新たなに設けた判定ステップで所定期間外と判定した場合に、ステップ６３２に進んで、問い合わせウインドウを表示し、表示した問い合わせウインドウの記録しないボタン４１１の操作があった場合に、トラックリストの再生中のトラックの削除フラグをオンに設定するようにしてもよいし、または、新たなに設けた判定ステップで所定期間外と判定した場合に、ステップ６２０に進むことにより、トラックリストの再生中のトラックの削除フラグのオンの設定は行わないようにしてもよい。ここで、ユーザが楽曲を短期間しか聴かずに再生をスキップした場合には、当該楽曲はユーザの嗜好に合わない楽曲であると推定することができるので、このように再生開始後の所定期間以内にスキップ操作が成された場合には、自動的に削除フラグを設定して、その楽曲のオーディオファイル２１４の削除が行われるようにすることにより、ユーザの操作性を向上することができる。
【００５４】
また、以上のＣＤ取込処理では、記録中再生処理において、トラックのオーディオデータの再生開始後の所定期間（たとえば、５秒）以内にスキップ操作が成された場合にのみ、問い合わせウインドウを表示し、表示した問い合わせウインドウの記録しないボタン４１１の操作があった場合に、トラックリストの再生中のトラックの削除フラグをオンに設定するようにし、他の期間にスキップ操作があった場合には、トラックリストの再生中のトラックの削除フラグのオンの設定は行わないようにしてもよい。
【００５５】
さて、本オーディオ記録再生装置の記録再生制御部２０２１は、以上の各処理の他、ＨＤＤ５の残記録容量を監視し、残記録容量が所定容量より小さくなったならば、オーディオファイル管理テーブル２１３に登録されている重要度フラグが示す重要度の低い順にオーディオファイル２１４を、削除候補のオーディオファイル２１４としてユーザに提示し、提示したオーディオファイルの全て、または、提示したオーディオファイルの内からユーザから指定されたオーディオファイル２１４をＨＤＤ５より削除し、削除したオーディオファイル２１４のエントリをオーディオファイル管理テーブル２１３やプレイリスト２１２より消去する処理も行う。
【００５６】
以上、本発明の実施形態について説明した。
ところで、以上の実施形態は、ＣＤ−ＤＡ６１の最初のトラックのバッファリングが完了してからバッファ内のオーディオデータの記録や再生を開始するようにしたが、これは、図７ｂに示すように、ＣＤ−ＤＡ６１の最初のトラックのバッファリングを開始しだい、バッファ内のオーディオデータの記録や再生を開始するようにしてもよい。
【００５７】
また、図７ｂ２、ｂ３の＃１のトラックのように、あるトラックのオーディオデータの再生中にトラック記録キャンセル操作、または、スキップ操作及び問い合わせウインドウの記録しないボタン４１１の操作７１１が行われた場合に、そのトラックのオーディオデータの記録が完了していない場合には、そのトラックのオーディオデータの記録動作を、その時点で終了させるようにしてもよい。なお、記録動作が途中で中止されたトラックについては、オーディオファイル２１４はＨＤＤ５上に始めから記録されないことになる。
【００５８】
また、以上の実施形態では、あるトラックのオーディオデータの再生中にトラック記録キャンセル操作、または、スキップ操作及び問い合わせウインドウの記録しないボタン４１１の操作が行われた場合に、全てのトラックのバッファ内のオーディオデータの再生処理が終了した後に、そのトラックに対応するオーディオファイル２１４を削除するようにしたが、図７ｂ３、ｂ４の＃３のトラックのように、トラック記録キャンセル操作、または、スキップ操作及び問い合わせウインドウの記録しないボタン４１１の操作７１２が行われた後に、全てのトラックのバッファ内のオーディオデータの再生処理を待つことなく、そのトラックに対応するオーディオファイル２１４の削除を行うようにしてもよい。
【００５９】
なお、以上では、ＣＤ−ＤＡ６１から各トラックのオーディオデータを読み出して、オーディオファイル２１４としてＨＤＤ５に記録する場合について説明したが、本実施形態は、任意の記録媒体から楽曲を読み出して、他の任意の記録媒体に楽曲を記録する場合に同様に適用可能である。
【００６０】
以上のように、本実施形態によれば、ＣＤ−ＤＡ６１の楽曲のＨＤＤ５への記録が再生に先行して行うオーディオ記録再生装置において、ユーザは、再生される楽曲を聞きながら、所定の操作（トラック記録キャンセル操作やスキップ操作や問い合わせウインドウでの削除確認操作）を行うだけで、当該楽曲のオーディオファイル２１４がＨＤＤ５に記録されないようにすることができる。また、ユーザは、再生される楽曲を聞きながら、再生する楽曲を次の楽曲にスキップしつつ再生中の当該楽曲をＨＤＤ５に記録しないようにすることも、当該楽曲をＨＤＤ５に記録するようにしつつ、次の楽曲のチェックを行うために再生する楽曲を次の楽曲にスキップさせることもできるようになる。
【００６１】
また、本実施形態によれば、ユーザが楽曲の再生をスキップした場合には、当該楽曲はユーザにとって重要性が低い楽曲であると推定して、重要度フラグを設定すると共に、その後に、重要度フラグが示す重要度に応じてオーディオファイル２１４を選定したり提示したりすることにより、ＨＤＤ５の不要ファイルの整理のために削除するオーディオファイル２１４を選定する操作やプレイリスト２１２へ登録するオーディオファイル２１４を選択する操作などのユーザの各種操作を容易化することができる。
【００６２】
【発明の効果】
以上のように、本発明によれば、第１の記録媒体に記録された楽曲の第２の記録媒体への記録と、第１の記録媒体に記録された楽曲の再生を、当該楽曲の記録を再生に先行する形態で行う場合に、ユーザが再生された楽曲を聴いた上で不要と判断した楽曲を、ユーザが、煩雑な操作を必要とすることなしに第２の記録媒体から削除することができるオーディオ記録再生装置を提供することができる。
【図面の簡単な説明】
【図１】本発明の実施形態に係るオーディオ記録再生装置の構成を示すブロック図である。
【図２】本発明の実施形態に係るオーディオ処理装置の機能構成を示すブロック図である。
【図３】本発明の実施形態において用いるＣＤＤＢ、オーディオファイル管理テーブル、プレイリスト、トラックリストの内容を示す図である。
【図４】本発明の実施形態で用いるウインドウを示す図である。
【図５】本発明の実施形態に係るＣＤ取込処理の手順を示すフローチャートである。
【図６】本発明の実施形態に係るＣＤ取込処理の手順を示すフローチャートである。
【図７】本発明の実施形態に係るオーディオ記録再生装置の動作シーケンス例を示す図である。
【符号の説明】
１…オーディオ処理装置、２…表示装置、３…入力装置、４…オーディオ出力装置、５…ＨＤＤ、６…ＣＤドライブ、１１…ＣＰＵ、１２…メモリ、１３…表示インタフェース、１４…オーディオ出力インタフェース、１５…ＨＤＤインタフェース、１６…ＣＤドライブインタフェース、１７…入力インタフェース、２１…バス、６１…ＣＤ−ＤＡ、２０１…オペレーティングシステム、２０２…記録再生処理部、２１１…ＣＤＤＢ、２１２…プレイリスト、２１３…オーディオファイル管理テーブル、２１４…オーディオファイル、２０２１…記録再生制御部、２０２２…再生処理部、２０２３…記録処理部。
【図１】
2005044419.tif 000003
【図２】
2005044419.tif 000004
【図３】
2005044419.tif 000005
【図４】
2005044419.tif 000006
【図５】
2005044419.tif 000007
【図６】
2005044419.tif 000008
【図７】
2005044419.tif 000009